(57)【要約】【課題】本発明の課題は、テープカートリッジを交換可能に装着してなる転写具において、ケース本体を握る把持力が小さくても、安定して転写することができる転写具を提供することである。【解決手段】本発明の転写具１は、テープカートリッジ４に設けた突部４Ａが、キャップ体３に設けた貫通孔３Ａから外部に露出する。また貫通孔３Ａから外部に露出した突部４Ａには、転写ヘッド５方向に向かって高さを除々に高くした指先当接部４Ｂを設けてあり、転写時に指を当接部４Ｂに当接して転写する。【選択図】図１
2014051066.tif 000002
【特許請求の範囲】
【請求項１】
ケース体と、該ケース体内を開口又は閉鎖するキャップ体とを具備したケース本体を有し、前記ケース体内を開口した状態で、前記ケース体に、供給リール、巻取リール、転写ヘッド、転写テープを具備するテープカートリッジを交換可能に装着してなる転写具において、前記テープカートリッジに設けた突部が、前記キャップ体に設けた貫通孔から外部に露出するとともに、該貫通孔から外部に露出した突部が、前記キャップ体の外表面から突出し、前記転写ヘッド方向に向かって高さを除々に高くした指先当接部を設けたことを特徴とする転写具。
【請求項２】
前記貫通孔から外部に露出した突部が、前記キャップ体の外表面から突出し、前記ケース本体の上面方向に向かって高さを除々に高くした第二指先当接部を設けたことを特徴とする請求項１に記載の転写具。
【発明の詳細な説明】
【技術分野】
【０００１】
本発明は、転写具に関し、さらに詳細には、ケース本体から、繰り出しリール、巻取リール、転写ヘッド、転写テープを具備するテープカートリッジを交換可能に装着してなる転写具に関する。
【背景技術】
【０００２】
従来から、転写具として、例えば、特開平８−１５６４９５号「塗膜転写具用テープカートリッジおよび塗膜転写具」等、ケース本体から、繰り出しリール、巻取リール、転写ヘッド、転写テープを具備するテープカートリッジを交換可能に装着してなる転写具は良く知られている。こうした転写具において、登録実用新案第３００３０３０号公報「転写テープ操作具」のように、転写ヘッドの先端が、前記供給リール及び巻取リールの回転軸線に対してほぼ垂直に延びる直線状となる横線引きタイプの転写具もよく知られている。
【０００３】
また、登録実用新案第３００３０３０号公報「転写テープ操作具」では、転写具を把持した時の滑り止めとして、ケース本体に滑り止め部材を装着してなる転写具も開示されている。
【先行技術文献】
【特許文献】
【０００４】
【特許文献１】特開平８−１５６４９５号公報
【特許文献２】登録実用新案第３００３０３０号公報
【発明の開示】
【発明が解決しようとする課題】
【０００５】
しかし、前記した特許文献１のように、カートリッジを交換可能とした転写具においては、交換や経時に伴い、転写時に装着したテープカートリッジが、がたついてしまう恐れがあった。
【０００６】
本発明の目的は、ケース本体から、供給リール、巻取リール、転写ヘッド、転写テープを具備するテープカートリッジを交換可能に装着してなる転写具において、ケース本体を握る把持力が小さくても、安定して転写することができる転写具を提供するものである。
【課題を解決するための手段】
【０００７】
上記目的を達成するために、本発明は、ケース体と、該ケース体内を開口又は閉鎖するキャップ体とを具備したケース本体を有し、前記ケース体内を開口した状態で、前記ケース体に、供給リール、巻取リール、転写ヘッド、転写テープを具備するテープカートリッジを交換可能に装着してなる転写具において、前記テープカートリッジに設けた突部が、前記キャップ体に設けた貫通孔から外部に露出するとともに、該貫通孔から外部に露出した突部が、前記キャップ体の外表面から突出し、前記転写ヘッド方向に向かって高さを除々に高くした指先当接部を設けたことを特徴とする。
【０００８】
また、前記貫通孔から外部に露出した突部が、前記キャップ体の外表面から突出し、前記ケース本体の上面方向に向かって高さを除々に高くした第二指先当接部を設けたことを特徴とする。
尚、本発明において「先」とは、転写具における長手方向の転写ヘッド側を示し、「上」とは、転写具をキャップ側から見て、転写ヘッドを左側に置いて、その上側を示す。
【０００９】
本願発明の第１の構成によれば、前記テープカートリッジに設けた突部が、前記キャップ体に設けた貫通孔から外部に露出するとともに、該貫通孔から外部に露出した突部が、前記キャップ体の外表面から突出し、前記転写ヘッド方向に向かって高さを除々に高くした指先当接部を設けることで、ケース本体を把持して転写する時に、ケース本体を把持した指先が指先当接部に当接し、転写ヘッド方向への力が加わっても指先が滑りにくくなる。また、直接、指先がテープカートリッジに当接するので、テープカートリッジのガタツキを抑制し、安定して転写することができる。
【００１０】
また、転写具のケース本体を把持し、紙面に対して力、いわゆる転写圧を加えながら転写具を移動することで、転写テープを紙面に転写するが、このように転写具の使用時には、紙面方向のみならず、転写具を制御するために、ケース本体を握る把持力も発生している。本発明の転写具は、前記転写ヘッド方向に向かって前記ケース本体の外表面に突出する高さを高くなる指先当接部を設けることで、紙面側へ力（転写圧）が、係合突起によって、転写具のケース体とキャップ体を挟み込む側への力（把持する力）に変換されるため、把持力が小さくても紙面と転写ヘッドとの間で接触を維持しやすくすることができ、安定して転写することができる。
【００１１】
本願発明の第２の構成によれば、前記貫通孔から外部に露出した突部が、前記キャップ体の外表面から突出し、前記ケース本体の上面方向に向かって高さを除々に高くした第二指先当接部を設けることで、転写具の上面方向の中心側への力（把持する力）に、指先が滑りにくくなる。
【発明の効果】
【００１２】
本発明は、ケース本体から、供給リール、巻取リール、転写ヘッド、転写テープを具備するテープカートリッジを交換可能に装着してなる転写具において、ケース本体を握る把持力が小さくても、安定して転写することができる転写具を提供することができた。
【図面の簡単な説明】
【００１３】
【図１】第１の実施形態の転写具を示すキャップ側から見た外観図である。
【図２】図１における斜視外観図である。
【図３】図１におけるテープカートリッジを示す上面から見た外観図である。
【図４】図３におけるキャップの背面から見た外観図である。
【図５】図１におけるケース体を示す上面から見た外観図である。
【図６】図１におけるキャップ体の内側を見た外観図である。
【発明を実施するための最良の形態】
【００１４】
次に図面を参照しながら、本発明の転写具の実施形態を説明するが、本発明は以下の実施形態に限定されるものではない。
【００１５】
図１から図６に示す第１実施形態の転写具１は、ケース体２とキャップ体３とからなるケース本体に、転写ヘッド５を備えるテープカートリッジ４が着脱自在に装着されている。テープカートリッジ４には、供給リール６および巻取リール７がそれぞれ独立して軸支するとともに、巻取ギア９を取り付けてある。また、ケース体２には、供給ギア８、中間ギア１０が取り付けてあり、ケース体２にテープカートリッジ４を装着し、キャップ体３を装着することで、供給ギア８、中間ギア１０、巻取ギア９の各ギアが連動する構成となっている。
【００１６】
ケース体２は、図５に示すように、射出成形により成形された樹脂製であり、略全周に渡って周壁２Ｅを有し、一端を開口した箱状をなしている。このケース体２に設けた軸部２Ｃ、２Ｄに、テープカートリッジ４を着脱自在に装着してある。また、ケース体２には、テープカートリッジ４の転写ヘッド５をカバーするヘッドカバー１１をヒンジにより回転可能に設けてある。尚、本実施形態の転写具１は、転写ヘッド５の先端は、供給ギア８、中間ギア１０等の回転軸線に対してほぼ垂直に延びている横引きタイプの転写具である。
【００１７】
キャップ体３は、図６に示すように、内側面にテープカートリッジを位置決めする軸部３Ｄ、３Ｅが設けられ、この軸部３Ｄ、３Ｅを供給リール６と巻取リール７に遊嵌して、供給リール６と巻取リール７が回転可能に位置決めしている。また、キャップ体３の貫通孔３Ａとテープカートリッジ４の突部４Ａにおいても位置決めされる。
【００１８】
また、キャップ体３には、ケース体２の嵌合部２Ａ、２Ｂに対向する２箇所に、嵌合部３Ｂ、３Ｃを設けてあり、ケース体２の嵌合部２Ａ、２Ｂとキャップ体３の嵌合部３Ｂ、３Ｃとを着脱自在に乗り越し嵌合してあり、キャップ体３を取り外すことで、ケース体２内を開口し、テープカートリッジ４を装着又は取り外しすることができる。
【００１９】
ケース体２にキャップ体３を嵌合すると、キャップ体３の表面に設けた貫通孔３Ａから、テープカートリッジ４に設けた突部４Ａが外部に露出するとともに、外部に露出した突部４Ａには、転写ヘッド５方向に向かって、キャップ体２の外表面から突出する高さを除々に高くした指先当接部４Ｂを設けるとともに、外部に露出した突部４Ａには、転写具１の上面方向に向かって高さを除々に高くした第二指先当接部４Ｃを、指先当接部４Ｂに連設して設けてある。
【００２０】
転写具１を使用するには、ヘッドカバー１１を回動して転写ヘッド５を露出し、使用状態とした後、ケース本体を把持する。この時、親指をキャップ体３の貫通孔３Ａから露出したケースカートリッジ４の突部４Ａ及び指先当接部４Ｂと第二指先当接部４Ｃに当接し、転写ヘッド５を紙面に押し当てる。その後、紙面に対して転写圧を加えながら転写具１をコントロールしながら移動することで、転写テープ１２の塗膜層を紙面に転写して使用することができる。
【００２１】
本実施形態では、便宜上、ケース体に対してキャップ体を着脱自在に嵌合することで、ケース体内の開口部を開閉自在としてあるが、ケース体とキャップ体の装着方法は、ヒンジ部を支点として回動可能とすることで、ケース体内の開口部を開閉自在とする等、ケース体内の開口部を開閉自在とすることができれば特に限定されるものではない。
【００２２】
また、キャップ体の貫通孔の大きさも特に限定されるものではないが、ケース本体を把持した時に、把持した指の腹全体が、貫通孔から露出したテープカートリッジの突部に当接する程度の開口面積を有することが好ましい。更に、キャップ体だけでなく、ケース体側にも貫通孔を形成し、テープカートリッジに設けた他の突部をケース体の貫通孔から露出して設けることもできる。
【００２３】
さらに、本実施形態では、便宜上、転写ヘッドの先端が、供給リール及び巻取リールの回転軸線に対してほぼ垂直に延びる、横引きタイプにて例示しているが、転写ヘッドの先端が、供給リール及び巻取リールの回転軸線に対してほぼ平行に延びるタイプの転写具であってもよい。但し、横引きタイプでは、キャップ体の貫通孔から露出したケースカートリッジの突部に、転写圧を与え易いので、横引きタイプに用いることが好ましい。
【産業上の利用可能性】
【００２４】
本発明の転写具は、転写テープの種類に限定されることなく、転写具として広く実施可能である。
【符号の説明】
【００２５】
１  転写具
２  ケース体
２Ａ  嵌合部
２Ｂ  嵌合部
２Ｃ  軸部
２Ｄ  軸部
３  キャップ体
３Ａ  貫通孔
３Ｂ  嵌合部
３Ｃ  嵌合部
３Ｄ  軸部
３Ｅ  軸部
４  テープカートリッジ
４Ａ  突部
４Ｂ  指先当接部
４Ｃ  第二指先当接部
５  転写ヘッド
６  供給リール
７  巻取リール
８  供給ギア
９  巻取ギア
１０  中間ギア
１１  ヘッドカバー
１２  転写テープ
【図１】
2014051066.tif 000003
【図２】
2014051066.tif 000004
【図３】
2014051066.tif 000005
【図４】
2014051066.tif 000006
【図５】
2014051066.tif 000007
【図６】
2014051066.tif 000008